(57)【特許請求の範囲】
【請求項１】
発言権を得た端末が、該端末が属するグループの他の端末に対して、パケット通信網を介して音声データの同報送信を行うＰｕｓｈ−ｔｏ−Ｔａｌｋ機能（ＰＴＴ機能）を有する端末であって、
前記ＰＴＴ機能における発言権取得時に再生すべきユーザ設定メロディデータの選択と設定を受け付ける手段と、
前記ＰＴＴ機能における発言権取得時に、前記グループの他の端末に対し前記ＰＴＴ機能によって前記選択し、設定したユーザ設定メロディデータを送信する手段と、を備え、
前記ユーザ設定メロディデータとして、外部の機器により、グループ内で発言権取得時に出力される音声によりユーザを一意に特定できるよう配信制御されたメロディデータを使用可能であること、
を特徴とする端末。
【請求項２】
前記ユーザ設定メロディデータとして、着信報知時に鳴音するメロディデータを選択し設定可能であること、
を特徴とする請求項１に記載の端末。
【請求項３】
前記ユーザ設定メロディデータの選択と設定がなされている場合、前記ユーザ設定メロディデータとは別に発言権取得時に出力するよう設定されている共通メロディデータの再生を省略可能としたこと、
を特徴とする請求項１又は２に記載の端末。
【請求項４】
前記ユーザ設定メロディデータの選択と設定がなされている場合、前記ユーザ設定メロディデータとは別に発言権取得時に出力するよう設定されている共通メロディデータの再生を自動的に省略すること、
を特徴とする請求項１又は２に記載の端末。
【請求項５】
前記ユーザ設定メロディデータは、ＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）形式で他の端末に送信されること、
を特徴とする請求項１ないし４いずれか一に記載の端末。
【請求項６】
Ｐｕｓｈ−ｔｏ−Ｔａｌｋ機能（ＰＴＴ機能）を利用して相互に接続される端末グループと該グループに属する端末の情報を管理する手段と、
請求項１ないし５いずれか一に記載の端末に対して、グループ内で発言権取得時に出力される音声によりメンバを一意に特定できるようユーザ設定メロディデータの配信制御を行う手段と、を備えたこと、
を特徴とするサーバ装置。
【請求項７】
発言権を得た端末が、該端末が属するグループの他の端末に対してパケット通信網を介して音声データの同報送信を行うＰｕｓｈ−ｔｏ−Ｔａｌｋ機能（ＰＴＴ機能）を有する端末に実行させるプログラムであって、
ユーザから、前記ＰＴＴ機能における発言権取得時に再生すべきユーザ設定メロディデータの選択と設定を受け付ける処理と、
前記ＰＴＴ機能における発言権取得時に、前記グループの他の端末に対し前記ＰＴＴ機能によって前記選択し、設定したユーザ設定メロディデータを送信する処理と、を前記端末に搭載されたコンピュータに実行させ、
前記ユーザ設定メロディデータとして、外部の機器により、グループ内で発言権取得時に出力される音声によりユーザを一意に特定できるよう配信制御されたメロディデータを使用可能であるプログラム。
【請求項８】
発言権を得た端末が、該端末が属するグループの他の端末に対してパケット通信網を介して音声データの同報送信を行うＰｕｓｈ−ｔｏ−Ｔａｌｋ機能（ＰＴＴ機能）を有する端末群により形成されるＰｕｓｈ−ｔｏ−Ｔａｌｋグループ（ＰＴＴグループ）における発言権取得端末の通知方法であって、
任意のサーバが、一の端末に対して、グループ内で発言権取得時に出力される音声によりメンバを一意に特定できるようメロディデータを配信するステップと、
前記一の端末において、前記ＰＴＴ機能における発言権取得時に再生すべきユーザ設定メロディデータとして前記配信されたメロディデータを選択し設定するステップと、
前記ＰＴＴグループへの参加後発言権を取得した端末が、前記選択し、設定したユーザ設定メロディデータを再生するステップと、
前記発言権を取得した端末が、前記ＰＴＴ機能によって、該端末が属するグループの他の端末に対して前記ユーザ設定メロディデータを送信するステップと、
前記ユーザ設定メロディデータを受信した他の端末が、それぞれ前記送信されたユーザ設定メロディデータを再生するステップと、を含むこと、
を特徴とするＰｕｓｈ−ｔｏ−Ｔａｌｋグループ（ＰＴＴグループ）における発言権取得端末の通知方法。
【請求項９】
前記各端末が、前記ユーザ設定メロディデータとは別に発言権取得時に出力するよう設定されている共通メロディデータの再生を省略するか否かを受け付けるステップを含み、
前記共通メロディデータを省略するとの選択がなされている場合、前記各端末は、前記発言権取得時における共通メロディデータの再生を省略すること、
を特徴とする請求項８に記載のＰｕｓｈ−ｔｏ−Ｔａｌｋグループ（ＰＴＴグループ）における発言権取得端末の通知方法。
【請求項１０】
前記ユーザ設定メロディデータの選択と設定がなされている場合、前記各端末が、前記ユーザ設定メロディデータとは別に発言権取得時に出力するよう設定されている共通メロディデータの再生を自動的に省略すること、
を特徴とする請求項８に記載のＰｕｓｈ−ｔｏ−Ｔａｌｋグループ（ＰＴＴグループ）における発言権取得端末の通知方法。
【発明の詳細な説明】
【技術分野】
【０００１】
本発明は、Ｐｕｓｈ−ｔｏ−Ｔａｌｋ（プッシュトゥトーク；ＰＴＴ）機能を備えたＰｕｓｈ−ｔｏ−Ｔａｌｋ端末、サーバ装置及び発言権取得端末の通知方法に関する。
【背景技術】
【０００２】
近年、携帯電話機にＰｕｓｈ−ｔｏ−Ｔａｌｋ機能（以下、ＰＴＴ機能）を実装し、１対多型の通話を実現するＰｕｓｈ−ｔｏ−Ｔａｌｋ  ｏｖｅｒ  Ｃｅｌｌｕｌａｒ（以下、ＰｏＣ）サービスが普及し始めようとしている。このＰｏＣサービスの特徴としては、回線交換式の通話サービスと異なり、１対多人数の通話ができることが挙げられる。但し、帯域の制限等により、二人以上が同時に発話することはできず、誰かが話し終わるのを待ち、発言権を取ってから話すというトランシーバのような半２重の通話サービスの提供が考えられている。【０００３】
特許文献１は、上記ＰＴＴ技術を用いた放送システムを開示するものであり、ＰＴＴボタンが押下状態にある無線電話機が話者権（以下、発言権という）を取得し、発言内容を同報することを基本動作とするが、ＰＴＴボタンが押下状態にある無線電話機が複数ある場合に（ＰＴＴ）サーバが発言権の裁定を行うことが記載されている。そして、前記裁定により発言権を取得した無線電話機からの音声データを他の無線電話機に送出する構成となっている。【０００４】
なお、特許文献２は、通信中の加入者に新たな着信を知らせる際のコールウェイティング音によって、誰からのコールウェイティング着信であるかを識別できるようにする方法を開示する文献であり、相手方の電話端末で鳴らしたいコールウェイティング着信音を送信し、交換網（制御局）が蓄積し、相手方の電話端末で出力させる構成を採っている。【０００５】
【特許文献１】特表２００２−５３６９２８号公報
【特許文献２】特開２００２−３００２８４号公報
【発明の開示】
【発明が解決しようとする課題】
【０００６】
特許文献１には示されていないが、発言権が与えられたことを知らせるために、発言権を取得した端末において特定のメロディパターンを出力することが行われている。この従来方法では、発言権が与えられた者にしか、発言権が与えられたことがわからないという問題点がある。【０００７】
そして複数の端末から発言権の取得要求が行われた場合、発言権を取得できなかった端末では上記メロディパターンは出力されないため、端末画面等を参照しなければ、発言権を取得できなかったことを即座に認識できないという問題点がある。【０００８】
また、特許文献２の同様の機能をＰＴＴサービスにおいて同様の仕組みにより実現するとすれば、ＰＴＴサーバに同公報の交換網（制御局）と同等の機能を具備させることになる。この場合、グループの管理（グループ管理機能）、メンバの登録、メンバの「不在」や「在室」等の参加可否情報の把握（プレゼンス機能）、発言権の割当て（フロア制御機能）等を行うサーバの負荷が大きくなってしまうという問題点がある。【０００９】
本発明は、上記した事情に鑑みてなされたものであって、その目的とするところは、ＰＴＴ通信時に、誰が発言権を取得したのかを音によって即座に確認できるユーザインターフェースを備えたＰｕｓｈ−ｔｏ−Ｔａｌｋ端末、そのためのサーバ装置及び発言権取得端末の通知方法を提供することにある。
【課題を解決するための手段】
【００１０】
本発明の第１の視点によれば、前記ＰＴＴ機能における発言権取得時に再生すべきユーザ設定メロディデータの選択と設定を受け付ける手段と、前記ＰＴＴ機能における発言権取得時に、前記グループの他の端末に対し前記ＰＴＴ機能によって前記選択し、設定したユーザ設定メロディデータを送信する手段と、を備え、前記ユーザ設定メロディデータとして、前記外部の機器により、グループ内で発言権取得時に出力される音声によりユーザを一意に特定できるよう配信制御されたメロディデータを使用可能である端末が提供される。これにより、グループに属する他の端末における、前記送信されたユーザ設定メロディデータの再生が実現される。
【００１１】
本発明の第２の視点によれば、Ｐｕｓｈ−ｔｏ−Ｔａｌｋ機能（ＰＴＴ機能）を利用して相互に接続される端末グループと該グループに属する端末の情報を管理する手段と、前記したメロディデータの選択・送信機能を備えた端末に対して、グループ内で発言権取得時に出力される音声によりメンバを一意に特定できるようユーザ設定メロディデータの配信制御を行う手段と、を備えたこと、を特徴とするサーバ装置が提供される。【００１２】
本発明の第３の視点によれば、発言権を得た端末が、該端末が属するグループの他の端末に対してパケット通信網を介して音声データの同報送信を行うＰｕｓｈ−ｔｏ−Ｔａｌｋ機能（ＰＴＴ機能）を有する端末に実行させるプログラムであって、ユーザから、前記ＰＴＴ機能における発言権取得時に再生すべきユーザ設定メロディデータの選択と設定を受け付ける処理と、前記ＰＴＴ機能における発言権取得時に、前記グループの他の端末に対し前記ＰＴＴ機能によって前記選択し、設定したユーザ設定メロディデータを送信する処理と、を前記端末に搭載されたコンピュータに実行させ、前記ユーザ設定メロディデータとして、外部の機器により、グループ内で発言権取得時に出力される音声によりユーザを一意に特定できるよう配信制御されたメロディデータを使用可能であるプログラム、あるいは、該プログラムを格納した記憶媒体が提供される。
【００１３】
本発明の第４の視点によれば、発言権を得た端末が、該端末が属するグループの他の端末に対してパケット通信網を介して音声データの同報送信を行うＰｕｓｈ−ｔｏ−Ｔａｌｋ機能（ＰＴＴ機能）を有する端末群により形成されるＰｕｓｈ−ｔｏ−Ｔａｌｋグループ（ＰＴＴグループ）における発言権取得端末の通知方法であって、任意のサーバが、一の端末に対して、グループ内で発言権取得時に出力される音声によりメンバを一意に特定できるようメロディデータを配信するステップと、前記一の端末において、前記ＰＴＴ機能における発言権取得時に再生すべきユーザ設定メロディデータとして前記配信されたメロディデータを選択し設定するステップと、前記ＰＴＴグループへの参加後発言権を取得した端末が、前記選択し、設定したユーザ設定メロディデータを再生するステップと、前記発言権を取得した端末が、前記ＰＴＴ機能によって、該端末が属するグループの他の端末に対して前記ユーザ設定メロディデータを送信するステップと、前記ユーザ設定メロディデータを受信した他の端末が、それぞれ前記送信されたユーザ設定メロディデータを再生するステップと、を含むこと、を特徴とするＰｕｓｈ−ｔｏ−Ｔａｌｋグループ（ＰＴＴグループ）における発言権取得端末の通知方法が提供される。
【発明の効果】
【００１４】
本発明によれば、発言権の割り当てが行われた際に、発言権を取得した者を即座に把握することが可能となる。
【図面の簡単な説明】
【００１５】
【図１】本発明の一実施形態に係る携帯電話端末の概略構成を表したブロック図である。
【図２】本発明の一実施形態に係る携帯電話端末の音声パス経路を表した機能ブロック図である。
【図３】本発明の一実施形態に係る携帯電話端末における発言権取得時メロディ設定フローを表したフローチャートである。
【図４】本発明の一実施形態に係る携帯電話端末における発言権要求後、発言権が解放されるまでの動作を表したフローチャートである。
【符号の説明】
【００１６】
１０  ＣＰＵ（Ｃｅｎｔｒａｌ  Ｐｒｏｃｅｓｓｉｎｇ  Ｕｎｉｔ）
１１  ＲＯＭ（Ｒｅａｄ−Ｏｎｌｙ  Ｍｅｍｏｒｙ）
１２  フラッシュメモリ
１３  無線送受信部
１４  キー入力部
１５  表示制御部
１６  表示部
１７  マイク
１８  スピーカ
１９  レシーバ
２０  音源処理部
３０  バス
３１  スイッチ
３２ａ、３２ｂ  Ｄ／Ａ（変換部）
３３  Ａ／Ｄ（変換部）
４０  送話処理部
１００  携帯電話端末
【発明を実施するための最良の形態】
【００１７】
続いて、本発明を実施するための最良の形態について図面を参照して詳細に説明する。図１は、本発明の一実施形態に係る携帯電話端末の概略構成を表したブロック図である。図１を参照すると、本実施形態に係る携帯電話端末１００は、ＣＰＵ（Ｃｅｎｔｒａｌ  Ｐｒｏｃｅｓｓｉｎｇ  Ｕｎｉｔ；中央処理装置）１０、ＲＯＭ（Ｒｅａｄ−Ｏｎｌｙ  Ｍｅｍｏｒｙ）１１、フラッシュメモリ１２、無線送受信部１３、キー入力部１４、表示制御部１５、表示部１６、マイク１７、スピーカ１８、レシーバ１９、音源処理部２０を備えて構成されている。【００１８】
ＣＰＵ１０は、バス３０を介して携帯電話端末内の上記各部と接続されている。ＲＯＭ１１には、呼制御用のＳＩＰ（Ｓｅｓｓｉｏｎ  Ｉｎｉｔｉａｔｉｏｎ  Ｐｒｏｔｏｃｏｌ）やセッション確立後のＶｏＩＰ通信を実現するための各種の制御プログラムや、各種メロディを鳴音するための固定的なメロディデータが格納される。【００１９】
フラッシュメモリ１２には、ユーザが音声又はキーによる入力ないしダウンロードしたメロディデータ（ＭＩＤＩ（Ｍｕｓｉｃａｌ  Ｉｎｓｔｒｕｍｅｎｔｓ  Ｄｉｇｉｔａｌ  Ｉｎｔｅｒｆａｃｅ）ファイル等）が格納される。このほか図示省略されているが、携帯電話端末１００には、インターネットにアクセスした際のデータを一時的に保存したり、作業用のメモリとしても利用されるＲＡＭ（Ｒａｎｄｏｍ  Ａｃｃｅｓｓ  Ｍｅｍｏｒｙ）が備えられている。【００２０】
無線送受信部１３は、図示省略するアンテナを含み、無線によって最寄りの基地局とのデータの送受信を行う手段である。【００２１】
キー入力部１４は、ＰＴＴ通信における発言権取得操作等を行うＰＴＴキーを含む各種のキー（テンキー、機能キー、携帯電話機を折りたたんだ際に外側に配置されるキー）より入力を受け付ける手段である。【００２２】
表示制御部１５は、白黒あるいはカラーの液晶パネル等で構成された表示部１６を制御する手段である。マイク１７は、送話者の音声を入力する手段であり、スピーカ１８、レシーバ１９は、それぞれ話者の耳が離れた状態、話者の耳が接した状態、相手話者の音声を出力する手段であり、ＰＴＴ通信を含む通話の際に使用される。【００２３】
音源処理部２０は、ＲＯＭ１１やフラッシュメモリ１２に格納されたメロディデータを処理し、スピーカ１８より鳴音させたり、無線送受信部１３を介してＰＴＴ通信において接続された相手端末へメロディデータ等を送出する手段である。【００２４】
図２は、上記携帯電話端末の音声パス経路を表した機能ブロック図である。図２を参照して、メロディデータがスピーカで出力されるまでの流れに沿って各部をすると、固定的なメロディデータが格納されたＲＯＭ１１又はユーザが入力乃至ダウンロードしたメロディデータが格納されたフラッシュメモリ１２より、携帯電話端末１００のユーザにより選択されたメロディデータは、音源処理部２０を介しＤ／Ａ（変換部）３２ａにてＤ／Ａ変換された後、スピーカ１８に出力される。【００２５】
上記はハンズフリー通話の場合であり、ハンズフリー通話でない場合は、スイッチ３１を切り替えることにより、Ｄ／Ａ（変換部）３２ｂを介してレシーバ１９を出力先とする出力が可能である。【００２６】
以上のようにＤ／Ａ３２ａ、３２ｂのいずれか又は双方で変換された信号は、Ａ／Ｄ（変換部）３３を経て、パケット通信網側にデータを送出する送話処理部４０にも出力される。従って、スピーカ１８又はレシーバ１９にてメロディを出力し、自端末でモニタするとともに、相手端末へのメロディ送出を可能とする。【００２７】
なお、送話の場合は、マイク１７により入力された音声信号を、Ａ／Ｄ（変換部）３３を介して、送話処理部４０へ渡すことによって相手端末への音声送出が行われる。【００２８】
続いて、本実施形態の動作について図面を参照して詳細に説明する。図３は、本発明の一実施形態に係る携帯電話端末における発言権取得時メロディ設定フローを表したフローチャートである。【００２９】
携帯電話端末１００のユーザが、ＰＴＴ機能における発言権取得時のメロディ選択機能を起動すると（ステップＳ１１）、携帯電話端末１００は、発言権取得時の報知メロディとして、ＲＯＭ１１に予め格納された固定的なメロディデータ（プリインストールデータ）を選択するか否かを受け付ける（ステップＳ１２）。【００３０】
ここで、ＲＯＭ１１に格納されたメロディデータを選択しない旨の選択が行われた場合は（ステップＳ１２のＮｏ）、携帯電話端末１００は、発言権取得時の報知メロディとして、ネットワーク上のサーバや他の携帯電話端末等の外部機器からダウンロード等により取得しフラッシュメモリ１２に保存してあるユーザ固有のメロディデータを選択するか否かを受け付ける（ステップＳ１３）。【００３１】
ここで、フラッシュメモリ１２に保存されたメロディデータを選択しない旨の選択が行われた場合は（ステップＳ１３のＮｏ）、携帯電話端末１００は、端末番号などを報知する初期設定値又は前回設定した値をそのまま使用する（ステップＳ１４）。【００３２】
一方、上記ステップＳ１２、Ｓ１３において、ＲＯＭ１１に格納されたメロディデータ、あるいは、フラッシュメモリ１２に保存されたメロディデータを選択する旨の操作が行われた場合は、携帯電話端末１００は、選択可能なメロディデータの一覧表示を表示し、選択を受け付ける（ステップＳ１５）。【００３３】
そして、携帯電話端末１００は、発言権取得時の報知メロディとして設定されている初期設定値あるいは前回設定した値を、ステップＳ１５で受け付けたメロディデータに変更し、更新する（ステップＳ１６）。【００３４】
以上により、発言権取得時の報知メロディとして、任意のメロディデータ（ユーザ設定メロディデータ）が個々の携帯電話端末毎に設定される。【００３５】
図４は、上記のようにして発言権取得時の報知メロディが設定された携帯電話端末におけるＰＴＴ通信中の動作を表したフローチャートである。図４を参照すると、まず、ユーザがキー入力部１４に対して所定のキー操作を行うと、携帯電話端末１００は、ＰＴＴ呼発信を行い、ＰＴＴ接続要求動作を開始する（ステップＳ２１）。【００３６】
そして、パケット通信網に接続された相手端末が信号を受信し、応答可能と応答することにより、ＰＴＴ通信可能状態へ移行する（ステップＳ２２）。【００３７】
この状態で、キー入力部１４に含まれるＰＴＴキーの操作が行われると、携帯電話端末１００は、発言権の要求を行う（ステップＳ２３）。【００３８】
他の発言権取得者がすでにいる場合、あるいは、他の発言者が発言権を取得してしまったために取得できなかった場合は（ステップＳ２４のＮＯ）、携帯電話端末１００は、他の発言権取得者の送話内容を聞くためのＰＴＴ通信状態に移行し（ステップＳ３２）、他の発言権取得者によりＰＴＴキーが解放されて発言が終了するとステップＳ２２の発言権取得待ち状態へ移行する。【００３９】
一方、発言権が取得できた場合（ステップＳ２４のＹＥＳ）、携帯電話端末１００は、発言権取得確認音を出力（鳴音）する（ステップＳ２５）。この発言権取得音は、固定のメロディであり、すべての端末で統一的に用いられる鳴音パターンデータであるものとする。【００４０】
上記発言権取得確認音の出力（鳴音）後、携帯電話端末１００は、先に図３を用いて説明した発言権取得時の報知メロディの設定処理により選択・設定されているメロディデータ（ユーザ設定メロディデータ）を出力（鳴音）する（ステップＳ２６）。このとき、携帯電話端末１００は、自端末の出力デバイス（スピーカ１８又はレシーバ１９）からユーザ設定メロディデータを出力（鳴音）するとともに、相手端末へ出力（鳴音）させるため、音源処理部２０からの出力データをＡＤＰＣＭ（Ａｄａｐｔｉｖｅ Ｄｉｆｆｅｒｅｎｔｉａｌ Ｐｕｌｓｅ Ｃｏｄｅ Ｍｏｄｕｌａｔｉｏｎ）データに変換し送出する。【００４１】
発言権を取得した携帯電話端末１００より送出されたＡＤＰＣＭデータは、相手端末において受信後・出力される。【００４２】
この発言権取得時のメロディデータ（ユーザ設定メロディデータ）の自端末での再生、相手端末での出力（鳴音）後、発言開始となり、携帯電話端末１００は、ユーザの音声をマイク１７より入力し、相手端末へ送出する（ステップＳ２７）。【００４３】
ユーザによりＰＴＴキーが解放されて発言が終了すると、発言権の解放処理が行われ（ステップＳ２８）、携帯電話端末１００は、発言権解放確認音を出力（鳴音）する（ステップＳ２９）。この発言権解放確認音は、発言権取得確認音と同様にすべての端末で統一的に用いられる鳴音パターンデータで足りる。【００４４】
そして、キー入力部１４に対して所定の終話操作が行われるまでの間は（ステップＳ３０のＮＯ）、携帯電話端末１００は、ステップＳ２２の発言権取得待ち状態へ移行する。【００４５】
一方、所定の終話操作が行われた場合は（ステップＳ３０のＹＥＳ）、携帯電話端末１００は、ＰＴＴ呼切断動作を行い、ＰＴＴグループから脱退する（ステップＳ３１）。【００４６】
以上説明したように、ＰＴＴ通信中の発言権を取得した際に、すべての端末で統一的に用いられるメロディデータとは別に、ユーザ固有のメロディデータ（ユーザ設定メロディデータ）をグループの他のすべての端末に出力（鳴音）させることが可能となり、該ユーザ固有のメロディデータ（ユーザ設定メロディデータ）をもって発言権の取得者が少なくとも自分でなかったことを判定することが可能となる。【００４７】
また、ユーザ固有のメロディデータ（ユーザ設定メロディデータ）とその使用者の対応関係が、他のユーザにとって既知（未知であっても２回目以降の発言ならば既知となる。）であれば、発言権を取得した者を特定することも可能となる。【００４８】
更に、上記実施形態では、ユーザ固有のメロディデータ（ユーザ設定メロディデータ）は、発言権取得端末においても出力（鳴音）される構成としているため、ユーザの送話タイミングの基準としても使用可能である。【００４９】
また、上記したように、外部から取得したメロディデータも選択可能とすることにより、より広範囲の使用者の好みにあったメロディを使用することが可能となっている。【００５０】
以上本発明の一実施形態を説明したが、本発明の技術的範囲は、上述した実施形態に限定されるものではなく、ＰＴＴ通信における発言に先立ってユーザ設定メロディデータを他の端末に送信するという本発明の要旨を逸脱しない範囲で、各種の変形・置換をなしうることが可能であることはいうまでもない。【００５１】
例えば、上記した実施形態では、共通の発言権取得確認音を出力（鳴音）した後に（ステップＳ２５）、ユーザ固有のメロディデータ（ユーザ設定メロディデータ）を出力（鳴音）させる（ステップＳ２６）ものとして説明したが、携帯電話端末１００に、上記発言権取得確認音（共通メロディデータ）の出力可否の設定手段、又は、ユーザ固有のメロディデータ（ユーザ設定メロディデータ）が設定されている際に自動的に出力を抑止する自動出力抑止手段を備えることもできる。例えば、ユーザ固有のメロディデータが設定されている場合には、上記発言権取得確認音（共通メロディデータ）を出力（鳴音）させずに、ユーザ固有のメロディデータ（ユーザ設定メロディデータ）のみを鳴音させるようにしても、十分その目的を達成することができる。【００５２】
また、上記した実施形態では、ユーザ固有のメロディデータ（ユーザ設定メロディデータ）は、スピーカ１８あるいはレシーバ１９から出力されるものとして説明したが、イヤホンマイク、外部ハンズフリーキット等が接続されている場合には、ユーザ固有のメロディデータ（ユーザ設定メロディデータ）は、これらイヤホンマイク、外部ハンズフリーキット等から出力されることはもちろんである。【００５３】
また、ネットワーク上に、端末毎、ユーザ毎、あるいは、ＰＴＴグループのメンバ毎に動的に、ユーザ固有のメロディデータ（ユーザ設定メロディデータ）を付与するサーバを置くことも好ましい。前記メロディデータ（ユーザ設定メロディデータ）の配信機能は、発言権の割り当てを行う（ＰＴＴ）サーバの一機能として実現してもよいし、（ＰＴＴ）サーバと連繋動作するサーバにて実現してもよい。
【産業上の利用可能性】
【００５４】
また、上記した実施形態では、携帯電話端末に適用した例を挙げて説明したが、本発明の原理に鑑みれば、パーソナルコンピュータはもちろんとして、その他ＰＨＳ（Ｐｅｒｓｏｎａｌ  Ｈａｎｄｙｐｈｏｎｅ  Ｓｙｓｔｅｍ）端末、ＰＤＡ（Ｐｅｒｓｏｎａｌ  Ｄｉｇｉｔａｌ  Ａｓｓｉｓｔａｎｔｓ；個人向け携帯型情報端末）等のＰＴＴ機能を搭載した端末に適用することが可能である。
【図１】
0005186922.tif 000002
【図２】
0005186922.tif 000003
【図３】
0005186922.tif 000004
【図４】
0005186922.tif 000005